(57)【要約】【課題】開口部が物品を収納し易いように開放される物品用収納袋を提供する。【解決手段】物品を収納するための物品用収納袋１０であって、袋状の収納部が設けられた前面側部分１２と背面側部分１３とを有し、前面側部分１２は、背面側部分１３よりも短く形成され、前面側部分１２の端部は開口部１４が形成されており、背面側部分１３の上端部１３ａ近傍に、切断部１６が形成されると共に、物品用収納袋１０を支持するための支持具が挿通する複数の挿通孔１５、１５が形成され、前面側部分１２の上端部１２ａ近傍に山折線１８が形成され、前面側部分１２の上端部１２ａが開口部１４の外側に傾斜している。【選択図】図６
2016163697.tif 000002
【特許請求の範囲】
【請求項１】
物品を収納するための物品用収納袋であって、
袋状の収納部が設けられた前面側部分と背面側部分とを有し、
前記前面側部分は、前記背面側部分よりも短く形成され、前記前面側部分の端部は開口部が形成されており、
前記背面側部分の上端部近傍に、切断部が形成されると共に、前記物品用収納袋を支持するための支持具が挿通する複数の挿通孔が形成され、
前記前面側部分の上端部近傍に山折線が形成され、前記前面側部分の上端部が前記開口部の外側に傾斜していることを特徴とする物品用収納袋。
【請求項２】
前記切断部が前記挿通孔の上側周縁部から前記背面側部分の上端部にかけて形成されていることを特徴とする請求項１に記載の物品用収納袋。
【請求項３】
前記切断部が前記挿通孔の下側周縁部から所定間隔離間した位置に形成されていることを特徴とする請求項１に記載の物品用収納袋。
【請求項４】
請求項１〜３の何れかに記載の前記物品用収納袋が複数枚重ねられて構成された物品用収納袋ユニットであって、
前記物品用収納袋ユニットを構成する前記物品用収納袋の前記背面側部分の上端部近傍に形成された前記挿通孔の左右外側の少なくとも一部が相互に溶着接合されていることを特徴とする物品用収納袋ユニット。
【発明の詳細な説明】
【技術分野】
【０００１】
本発明は、野菜やパンと言った物品を収納可能な物品用収納袋に関する。
【背景技術】
【０００２】
スーパーマーケットや百貨店等で販売されている野菜、果物、又はパンと言った物品は、売り場やレジにおいて、購入者又はレジ係によって、物品毎に分けて袋に収納され、販売されている。このような物品を袋に収納する作業は、袋が開口しにくく、時間がかかってしまう場合がある。このような場合、レジの順番待ちをしている他の顧客に不快感を与え、顧客離れの要因ともなる。そこで、レジ係とは別に、袋を開口するための人員を配置することは、人件費の高騰にもなり現実的ではない。また、袋を開口した状態で多数並べて放置することは、膨大なスペースが必要ともなる。
【０００３】
そこで、特許文献１に開示されたような物品用収納袋装着装置が、売り場やレジに配置されることにより、収納袋を容易に開口することが出来るため、購入者やレジ係が野菜、果物、又はパンと言った物品を収納袋に収納する作業にかける時間を短縮することが可能となる。このような物品用収納袋装着装置に用いられる物品用収納袋１００は、図５に示すような挿通孔１０１が形成され、当該装置に設けられたハンガー２０１に吊り下げられた状態で、当該装置内に収容されている。
【先行技術文献】
【特許文献】
【０００４】
【特許文献１】特開２０１２−２０７５３号公報
【発明の概要】
【発明が解決しようとする課題】
【０００５】
しかしながら、図５に示すような物品用収納袋１００に、物品を矢印Ａ方向へ収納した場合、挿通孔１０１を横断するように形成されたミシン目１０２の精度によっては、ミシン目１０２で切断されず、ミシン目１０２以外の箇所で切断されてしまい、ミシン目１０２により切断された状態の物品用収納袋１００の見栄えが悪く、使用者に不快感を与えることにもなっていた。さらに、物品用収納袋装着装置に設けられた開放部材により開口部が開放されない不具合も生じていた。
【０００６】
本発明は、上記課題に鑑みて提案するものであって、開口部が物品を収納し易いように開放される物品用収納袋を提供することである。
【課題を解決するための手段】
【０００７】
上記課題を解決するためになされた物品用収納袋は、物品を収納するための物品用収納袋であって、袋状の収納部が設けられた前面側部分と背面側部分とを有し、前記前面側部分は、前記背面側部分よりも短く形成され、前記前面側部分の端部は開口部が形成されており、前記背面側部分の上端部近傍に、切断部が形成されると共に、前記物品用収納袋を支持するための支持具が挿通する複数の挿通孔が前記挿通孔間の仮想中心線を挟んで対象の位置に形成され、前記仮想中心線は、一の前記支持具が一の前記挿通孔に当接する接点と他の前記支持具が他の前記挿通孔に当接する接点との中心を通ることを特徴とする。
この構成により、物品用収納袋が支持具にバランス良く支持されるため、切断部を綺麗に切断できる。
【０００８】
また、本発明に係る物品用収納袋は、前記切断部が前記挿通孔の上側周縁部から前記背面側部分の上端部にかけて形成されていることを特徴とする。
この構成により、物品用収納袋の切断された状態が見栄えがよく、使用者に不快感を与えにくい。また、物品用収納袋の上端部が装置側に残らないので、不要なゴミを生じさせない。
【０００９】
また、本発明に係る物品用収納袋は、前記切断部が前記挿通孔の下側周縁部から所定間隔離間した位置に形成されていることを特徴とする
この構成により、切断部が切断された状態の物品用収納袋には、挿通孔もないため、見栄えが非常に良く、使用者に不快感を与えにくい。
【００１０】
また、本発明に係る物品用収納袋は、前記挿通孔の直径が互いに異なり、且つ前記挿通孔の上側周縁部が同一高さ位置に形成されていることを特徴とする。
この構成により、挿通孔の直径に合わせて、物品用収納袋を吊り下げるためのハンガーを設けた物品用収納袋収納装置に対して、物品用収納袋の表裏を間違えることなく、収容させることができる。
【００１１】
また、本発明に係る物品用収納袋は、物品を収納するための物品用収納袋であって、袋状の収納部が設けられた前面側部分と背面側部分とを有し、前記前面側部分は、前記背面側部分よりも短く形成され、前記前面側部分の端部は開口部が形成されており、前記背面側部分の上端部近傍に、切断部が形成されると共に、前記物品用収納袋を支持するための支持具が挿通する複数の挿通孔が形成され、前記前面側部分の上端部近傍に山折線が形成され、前記前面側部分の上端部が前記開口部の外側に傾斜していることを特徴とする。
この構成により、開口部が開放されやすくなり、物品用収納袋を物品に装着し易くなる。
【００１２】
本発明に係る物品用収納袋ユニットは、前記物品用収納袋ユニットを構成する前記物品用収納袋の前記背面側部分の上端部近傍に形成された前記挿通孔の左右外側の少なくとも一部が相互に溶着接合されていることを特徴とする。
この構成により、物品用収納袋収納装置を支持していた状態において、前記挿通孔の左右外側が垂れて開口部を塞いでしまうことがなく、開口部を開放し易くなるため、物品用収納袋を物品に装着し易くなる。
【発明の効果】
【００１３】
本発明の物品用収納袋によれば、開口部が開放されやすくなり、物品用収納袋を物品に装着し易くなる。
【図面の簡単な説明】
【００１４】
【図１】（ａ）は本発明に係る実施形態の物品用収納袋の正面図であり、（ｂ）は（ａ）の断面図である。
【図２】挿通孔の直径が互いに異なる変形例を示す物品用収納袋の正面図である。
【図３】（ａ）〜（ｃ）は図１に示す物品用収納袋の開口部に物品が挿入された状態を示す模式図である。
【図４】本発明に係る別の実施形態の物品用収納袋の正面図である。
【図５】従来の実施形態の物品用収納袋の正面図である。
【図６】（ａ）は本発明に係る実施形態の第１変形例を示す正面図であり、（ｂ）は（ａ）の断面図である。
【図７】本発明に係る実施形態の第２変形例である物品用収納袋ユニットを示す模式図である。
【図８】（ａ）は本発明に係る実施形態の第３変形例を示す正面図であり、（ｂ）は（ａ）の断面図である。
【図９】（ａ）は本発明に係る実施形態の第４変形例を示す正面図であり、（ｂ）は（ａ）の断面図である。
【図１０】（ａ）は本発明に係る実施形態の第５変形例を示す正面図であり、（ｂ）は（ａ）の断面図である。
【発明を実施するための最良の形態】
【００１５】
本発明による実施形態の物品用収納袋について図面を参照して説明する。図１（ａ）は本発明に係る実施形態の物品用収納袋の正面図であり、図１（ｂ）は図１（ａ）の断面図である。
【００１６】
図１（ａ）、（ｂ）に示す通り、本実施形態の物品用収納袋１０は、袋状の収納部が設けられた前面側部分１２と背面側部分１３とを有し、前面側部分１２は、背面側部分１３よりも短く形成され、前面側部分１２の端部は開口部１４が形成されており、背面側部分１３の上端部１３ａ近傍に、切断部１６，１６が形成されると共に、物品用収納袋１０を支持するための支持具が挿通する複数の挿通孔１５、１５が挿通孔１５、１５間の仮想中心線Ｘを挟んで対象の位置に形成されている。また、仮想中心線Ｘは、一の支持具が一の挿通孔１５に当接する接点と他の支持具が他の挿通孔１５に当接する接点との中心を通っている。
【００１７】
袋状の収納部は、例えば、ポリエチレン製の単一のシート部材が折り返されて側縁部１１、１１が互いに融着されることにより、形成することができる。また、袋状の収納部は、異なる材質からなる２枚のシート材の周縁部を貼り合わせて形成してもよい。
【００１８】
挿通孔１５は、物品用収納袋１０を支持するための支持具である物品用収納袋装着装置に設けられたハンガー２１が挿通され、挿通孔１５、１５間の仮想中心線Ｘを挟んで対象の位置に複数形成される。ここで、仮想中心線Ｘは、一のハンガー２１が一の挿通孔１５に当接する接点と他のハンガー２１が他の挿通孔１５に当接する接点との中心を通っている。
【００１９】
本実施形態では、図１に示す物品用収納袋１０には、２つの挿通孔１５、１５が形成されている。そして、挿通孔１５は物品用収納袋装着装置のハンガー２１が挿通され、吊り下げられた状態で、物品用収納袋装着装置内に収納される。尚、図１に示すハンガー２１の断面形状は、円形状であるが、これに限定される必要はなく、三角形状、幅方向に一定の厚みを有する平板形状であってもよい。
【００２０】
また、挿通孔１５として、図２に示すように、左右の挿通孔１５ａ、１５ｂの直径が互いに異なる大きさに形成してもよい。また、挿通孔１５ａ、１５ｂの上側周縁部１５１ａ、１５１ｂが同一高さ位置に形成されることにより、挿通孔１５ａ、１５ｂと切断部１６との間の切断部位１７の寸法が一致し、切断のタイミングにバラツキが生じることがない。
【００２１】
さらに、左右の挿通孔１５ａ、１５ｂの直径に合わせて、物品用収納袋装着装置のハンガー２１ａ、２１ｂを設けることにより、左右の挿通孔１５ａ、１５ｂの直径とハンガー２１ａ、２１ｂとの大きさが一致しなければ、ハンガー２１ａ、２１ｂが挿通孔１５ａ、１５ｂに挿通しないため、物品用収納袋１０の裏表を間違えることがない。
【００２２】
切断部１６は、挿通孔１５の上側周縁部１５１、１５１から背面側部分１３の上端部１３ａにかけて形成されるとよい。切断部１６は、ミシン目であっても、単なるスリットでもよい。例えば、スリットであれば、ミシン目を形成した場合と比べて、その成形精度に影響されることがなく、歩留りを高くすることができる。
【００２３】
また、切断部１６は、挿通孔１５の上側周縁部１５１から垂直上方へ所定間隔ｍ離間して形成されるとよい。所定間隔ｍは、より具体的には、挿通孔１５、１５の上側周縁部１５１、１５１から切断部１６、１６の端部までの間隔を示す。本実施形態の所定間隔ｍは、１ｍｍ以上１０ｍｍ以下とすると好適である。ここで、所定間隔ｍが１ｍｍ以上であれば、物品用収納袋１０が吊り下げられた状態では、勝手に落下することがなく、一方所定間隔ｍが１０ｍｍ以下であれば、物品用収納袋１０を切断するのに苦労することがない。尚、所定間隔ｍは、物品用収納袋１０の材質、又は厚さによって適宜変更可能である。
【００２４】
上述した物品用収納袋１０の切断部１６は、物品を収納する際、以下のように切断される。先ず、図３（ａ）に示すように、図示しない野菜や、パンといった物品が矢印Ｂ方向から開口部１４内へ挿入されると、物品用収納袋１０は下方へ引っ張られ始める。その際、挿通孔１５、１５にハンガー２１が挿通されているため、挿通孔１５、１５の上部周縁部１５１、１５１と切断部１６、１６の端部との間の切断部位１７、１７は下方へ引っ張られず、伸長し始める。
【００２５】
次に、図３（ｂ）に示すように、物品が開口部１４内にさらに挿入されるにつれて、切断部位１７、１７はさらに伸長する。
【００２６】
そして、図３（ｃ）に示すように、物品が開口部１４内に完全に挿入され、切断部位１７、１７が限界に達すると切断される。
【００２７】
上述した通り、切断部位１７、１７が切断されることにより、物品用収納袋１０が物品に装着される。換言すれば、物品が物品用収納袋１０内に収納される。尚、切断部位１７、１７以外の部位が切断されることがなく、切断された状態の物品用収納袋１０の見栄えが良く、使用者に不快感を与えにくい。
【００２８】
また、本発明に係る別の実施形態の物品用収納袋１０ａは、切断部１６ａが形成された位置以外は、上述した物品用収納袋１０を同様の構成であるため、同じ符号を付し、以下説明は省略する。
【００２９】
物品用収納袋１０ａの切断部１６ａは、挿通孔１５、１５の下側周縁部１５２、１５２から所定間隔ｎ離間した位置に形成される。ここで、切断部１６ａは、ミシン目が形成されるとよい。尚、所定間隔ｎは、特に制限はない。
【００３０】
切断部１６ａは、物品が開口部１４内へ挿入され、物品用収納袋１０が下方へ引っ張られ始めることにより、切断部１６ａが切断し始める。そして、物品が開口部１４内に完全に挿入されることによって、切断部１６ａが完全に切断される。このように、切断部１６ａが完全に切断された状態の物品用収納袋１０ａには、挿通孔１５も残存せず、非常に見栄えがよく、使用者に不快感を与えにくい。
【００３１】
本実施形態の物品用収納袋１０，１０ａは、仮想中心線Ｘが、一のハンガー２１が一の挿通孔１５に当接する接点と他のハンガー２１が他の挿通孔１５に当接する接点との中心を通るように構成されることにより、ハンガー２１にバランス良く支持されるため、切断部１６を綺麗に切断できる。
【００３２】
本実施形態の物品用収納袋１０は、挿通孔１５、１５の上側周縁部１５１、１５１から背面側部分１３の上端部１３ａにかけて切断部１６、１６が形成されていることにより、切断部位１７、１７以外の場所で切断されることがなく、切断された状態の物品用収納袋１０の見栄えがよく、使用者に不快感を与えにくい。
【００３３】
また、本実施形態の物品用収納袋１０は、上述した構成により、物品用収納袋装着装置側に、物品用収納袋１０の切れ端等が不要なゴミとして残らないため、物品用収納袋１０を取り替える際の手間を省くことができ、効率性が向上する。
【００３４】
本発明の別の実施形態の物品用収納袋１０ａは、挿通孔１５、１５の下側周縁部１５２、１５２から所定間隔ｎ離間した位置に切断部１６ａが形成されていることにより、切断部１６ａが完全に切断された状態の物品用収納袋１０ａには、挿通孔１５、１５が残存せず、非常に見栄えがよく、使用者に不快感を与えにくい。
【００３５】
また、本実施形態の物品用収納袋１０，１０ａは、左右の挿通孔１５ａ、１５ｂの直径が互いに異なる大きさに形成し、且つ挿通孔１５ａ、１５ｂの上側周縁部１５１ａ、１５１ｂが同一高さ位置に形成されることにより、開口部１４内に物品が挿入されて挿通孔１５ａ、１５ｂと切断部１６、１６との間の切断部位１７、１７の寸法が一致するため、切断されるタイミングが同時となり、バラツキが生じることがない。
【００３６】
さらに、本実施形態の物品用収納袋１０，１０ａは、左右の挿通孔１５ａ、１５ｂの直径が互いに異なることにより、左右の挿通孔１５ａ、１５ｂの直径に合わせて、設けられた物品用収納袋装着装置のハンガー２１ａ、２１ｂに対し、物品用収納袋１０の裏表を間違えることなく、物品用収納袋１０を取り替えることができる。
【００３７】
〔実施形態の変形例等〕
本明細書開示の発明は、上記本実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含み、下記の変形例等も包含する。
【００３８】
図６に示す通り、本実施形態の第１変形例として、物品用収納袋１０ｂの前面側部分１２の上端部１２ａ近傍に、山折線１８を形成し、前面側部分１２の上端部１２ａが開口部１４の外側に傾斜している構成としてもよい。山折線１８が形成されると共に前面側部分１２の上端部１２ａが開口部１４の外側に傾斜する構成であることにより物品用収納袋１０ｂの開口部１４は山折線１８が形成されていない物品用収納袋１０の開口部１４より大きく開放されているため（図６（ｂ）及び図１（ｂ）を参照）、開口部１４を開放する物品用収納袋装着装置の開放部材（図示しない）が開口部１４内に挿入されやすくなり、開口部１４が開口され易く、物品用収納袋１０ｂを物品に装着し易くなる。
【００３９】
本実施形態の第１変形例に係る物品用収納袋１０ｂは、物品用収納袋１０、１０ａとは、以下の製造工程において、異なる。具体的には、物品用収納袋１０ｂの袋状の収納部を形成する工程において、前面側部分１２の上端部１２ａ近傍を除いて、ポリエチレン製の単一のシート部材を折り返し、側縁部１１、１１を互いに融着し袋状の収納部を形成する。次に、前面側部分１２の上端部１２ａが外側となるように山折りし、山折線１８を形成する。そして、前面側部分１２の上端部１２ａは、他の部位と接着等されていないため、元の形状に復元しようとするが、山折線１８が形成されているため、完全に復元することはなく、図６（ｂ）のように前面側部分１２の上端部１２ａが僅かに外側に傾斜した形状となる。
【００４０】
また、本実施形態の第２変形例として、図７に示す通り物品用収納袋１０ｃが複数枚重ねられた物品用収納袋ユニット３０を構成してもよい。そして、物品用収納袋ユニット３０を構成する物品用収納袋１０ｃの背面側部分１３の上端部１３ａ近傍に形成された挿通孔１５、１５の左右外側の少なくとも一部が相互に溶着接合されているとよい。溶接接合された箇所を溶着部１９という。溶着方法としては、例えば超音波溶着、高周波溶着、又は熱溶着が挙げられる。
【００４１】
物品用収納袋１０ｃが複数枚重ねられた物品用収納袋ユニット３０を、物品用収納袋装着装置にセットする際、溶着部１９が存在することにより、物品用収納袋１０ｃの貫通孔１５、１５がずれることがなく、挿通孔１５、１５に物品用収納袋装着装置のハンガー２１を挿通しやすくなる。また、物品用収納袋１０ｃが相互に溶着接合された溶着部１９によって、物品用収納袋ユニット３０が物品用収納袋装着装置のハンガー２１に支持された状態で、挿通孔１５、１５の左右外側が垂れて開口部１４が塞がれることを防止でき、図示しない物品用収納袋装着装置の開放部材が開口部１４内に挿入され易くなる。さらに、複数枚の物品用収納袋１０ｃからなる物品用収納袋ユニット３０を一つにまとめる器具や部材を別途用意する必要がない。
【００４２】
また、本実施形態の第３変形例に係る物品用収納袋１０ｄは、図８に示す通り物品用収納袋１０ｄの前面側部分１２の上端部１２ａ近傍に、熱変形させた熱変形部４１が形成されている。熱変形部４１が形成されていることにより、前面側部分１２と背面側部分１３との間に空隙が設けられるため、図示しない物品用収納袋装着装置の開放部材が開口部１４内に挿入され易くなる。
【００４３】
熱変形部４１は、熱変形加工により、前面側部分１２の上端部１２ａ近傍を加熱し、熱変形させて、形成される。熱変形部４１は、その範囲や形状について特に限定されないが、図８に示す通り前面側部分１２の上端部１２ａ近傍に２箇所形成しても、また１箇所形成してもよく、また２箇所以上であってもよい。
【００４４】
さらに、本実施形態の第４変形例に係る物品用収納袋１０ｅは、図９に示す通り物品用収納袋１０ｅの前面側部分１２の上端部１２ａに切欠部４２が形成されている。切欠部４２が形成されていることによって、図示しない物品用収納袋装着装置の開放部材が開口部１４に引っかかり易くなり、当該開放部材が開口部１４内に挿入され易くなる。即ち、開口部１４の縁部に生じる張力が、切欠部４２によって開放されるため、切欠部４２に形成された角部が捲れやすくなるからである。
【００４５】
切欠部４２は、切欠加工により、前面側部分１２の上端部１２ａに、例えば半円状の切欠として形成される。また、切欠部４２は、図９に示す通り前面側部分１２の上端部１２ａに１箇所形成しても、また２箇所形成してもよい。切欠部４２が１箇所形成された構成と同様に、開口部１４の縁部に生じる張力が、切欠部４２・４２によって開放されるため、２箇所形成された切欠部４２・４２の間の上端部が捲れやすくなるからである。このように、切欠部４２・４２の間の上端部が捲れやすくなることによって、物品用収納袋装着装置の開放部材が開口部１４に引っかかり易くなり、当該開放部材が開口部１４内に挿入され易くなる。
【００４６】
また、本実施形態の第５変形例に係る物品用収納袋１０ｆは、図１０に示す通り物品用収納袋１０ｆの前面側部分１２の上端部１２ａにエンボス部４３が形成されている。エンボス部４３が形成されていることにより、前面側部分１２と背面側部分１３との間における摩擦力が軽減されることによって、当該開放部材が開口部１４内に挿入され易くなる。
【００４７】
エンボス部４３は、例えば熱エンボス加工により、前面側部分１２の上端部１２ａ近傍を部分的に加熱及び加圧することにより、形成される。エンボス部４３は、その範囲や形状について特に限定されないが、図１０に示す通り前面側部分１２の上端部１２ａ近傍に形成するとよい。さらに、開口部１４近傍の背面側部分１３にもエンボス部４３を形成してもよい。
【００４８】
物品用収納袋１０は、上述したようにポリエチレンのような樹脂ではなく、紙や布によって、形成されてもよい。
【００４９】
さらに、挿通孔１５は、１つ、又は２つ以外に、３つ以上設けても良く、適宜変更可能である。
【産業上の利用可能性】
【００５０】
本発明における物品用収納袋は、野菜や、パンといった食品一般だけでなく、様々な物品一般を収納することができる。
【符号の説明】
【００５１】
１０、１０ａ、１０ｂ、１０ｃ、１００…物品用収納袋
１１…側縁部
１２…前面側部分
１３…背面側部分
１４…開口部
１５、１５ａ、１５ｂ、１０１…挿通孔
１６、１６ａ…切断部
１７…切断部位
１８…山折線
１９…溶着部
２１、２０１…ハンガー
３０…物品用収納袋ユニット
４１…熱変形部
４２…切欠部
４３…エンボス部
１０２…ミシン目
１５１、１５１ａ、１５１ｂ…上側周縁部
１５２…下側周縁部
【図１】
2016163697.tif 000003
【図２】
2016163697.tif 000004
【図３】
2016163697.tif 000005
【図４】
2016163697.tif 000006
【図５】
2016163697.tif 000007
【図６】
2016163697.tif 000008
【図７】
2016163697.tif 000009
【図８】
2016163697.tif 000010
【図９】
2016163697.tif 000011
【図１０】
2016163697.tif 000012